(57)【特許請求の範囲】
【請求項１】
遊技球の流下による遊技を実現する遊技盤を保持する第１遊技機枠と、
該第１遊技機枠の前方に配置されて前記遊技盤を視認可能とする透明板を保持する第２遊技機枠と、を備えた遊技機を取り付けるための遊技機島であって、
前記第１遊技機枠を取り付けるための第１遊技機島と、
前記第２遊技機枠を取り付けるための第２遊技機島と、を有し、
前記第１遊技機島と前記第２遊技機島とは、前後に所定距離の隙間をあけて設置されている、遊技機島。
【請求項２】
前記第２遊技機島が、少なくともその一部において前後に揺動可能とされており、かつ、該第１遊技機島と前記第２遊技機島との間に緩衝構造を有している、請求項１に記載の遊技機島。
【請求項３】
請求項１又は請求項２に記載の遊技機島、及び、前記遊技機、を有する遊技機島システム。
【発明の詳細な説明】
【技術分野】
【０００１】
本発明は、前後方向に離間して配置された複数の遊技機枠を取り付けるための遊技機島及び遊技機島システムに関する。
【背景技術】
【０００２】
パチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘や羽根車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
遊技者は、パチンコ機において大当りに入賞すると、多くの遊技媒体の払出しを得ることができるため、大当りとなることを期待して遊技を行う。この大当りの態様として、一般的に第１の特別遊技（１種大当り又は図柄変動大当りともいう。）と第２の特別遊技（２種大当り又は役物大当りともいう。）とが存在しており、各大当りを個別に実現可能な１種タイプ及び２種タイプのパチンコ機や、いずれの大当り態様も実現可能な１種２種タイプのパチンコ機が概念できる。
【０００４】
第２の特別遊技は、所定の入賞口への遊技球の入賞に基づいて２種大入賞口が所定時間開放することで発生し（第２の特別遊技の第一段階）、２種大入賞口が所定時間開放した際に、２種大入賞口内に流入した遊技球が特定の領域を通過するか否かによって第２の特別遊技が継続するか否かを抽選する。遊技球が特定の領域を通過すると、第２の特別遊技の継続が確定して、遊技者は多くの遊技球の払出しを得ることができる。
【０００５】
第２の特別遊技が継続するか否かの抽選は、例えば２種大入賞口内に配置された抽選部材によって行われる。この抽選部材は、遊技球が通過可能な複数の領域を有しており、そのうちいずれの領域を遊技球が通過するかによって当否を決定する。この抽選は２種大入賞口に入賞した遊技球の物理的な動きによって当否が決まる。
【０００６】
このような物理的な遊技球の動きによって当否が決定する遊技機においては、遊技機に対して振動を加えたり磁石を用いて磁力を加えたりすることによって、不正に遊技球の軌道を変化させる不正行為がなされることがある。このような問題に鑑みて、特許文献１から特許文献３には、遊技球の軌道を不正に変化させるような不正行為を防止する遊技機が記載されている。
【０００７】
例えば、特許文献１に記載の遊技機は、遊技機に対する振動を検出する振動センサを備えており、振動センサによって振動に基づく不正行為を検出することができるように構成されている。また、特許文献２，４に記載の遊技機は、磁力と振動との両方を検出可能なセンサを備えており、このセンサによって磁力や振動に基づく不正行為を検出することができるように構成されている。
【０００８】
また、特許文献３に記載の遊技機は、不正行為によって衝撃を受けることが多い外装部材と遊技盤との間に衝撃を緩和する部材を設けており、外装部材から遊技盤へ伝達する衝撃を減衰させるように構成されている。
【先行技術文献】
【特許文献】
【０００９】
【特許文献１】特開２００８−２７８９９８号公報
【特許文献２】特開２００９−８２２０２号公報
【特許文献３】特開２００９−１７８２１８号公報
【特許文献４】特開２００９−１４２５６９号公報
【発明の概要】
【発明が解決しようとする課題】
【００１０】
しかし、特許文献１及び特許文献２に記載の遊技機は、遊技者が誤って遊技機に触れて振動を付与してしまった場合においても振動を検出してしまうことがあり、誤検出のおそれがある。また、特許文献３に記載の遊技機は、外装部材と遊技盤との間に衝撃を緩和する部材を設けることにより、遊技盤に対する衝撃を減衰させることはできるが、比較的強い衝撃が外装部材に加えられた場合には、遊技盤に対して衝撃が伝達してしまうことがあり、不正行為を防ぐことができないおそれがある。
【００１１】
また、振動センサ等によって不正行為を検出する方法によれば、振動検出によってエラー報知や遊技停止を行う必要があり、結果的に遊技者による快適な遊技が中断されてしまう。特に、遊技者が誤って遊技機に触れて振動を付与してしまった場合にエラー報知や遊技停止処理が為されれば、遊技者に不快感を与えてしまうおそれがある。
【００１２】
本発明は、上記問題に鑑みてなされたものであり、振動や磁力による不正行為を効果的に防止することができる遊技機島及び遊技機島システムを提供することを例示的課題とする。
【課題を解決するための手段】
【００１３】
上記の課題を解決するために、本発明の例示的側面としての遊技機島は、遊技球の流下による遊技を実現する遊技盤を保持する第１遊技機枠と、第１遊技機枠の前方に配置されて遊技盤を視認可能とする透明板を保持する第２遊技機枠と、を備えた遊技機を取り付けるための遊技機島であって、第１遊技機枠を取り付けるための第１遊技機島と、第２遊技機枠を取り付けるための第２遊技機島と、を有し、第１遊技機島と第２遊技機島とは、前後に所定距離の隙間をあけて設置されている。
【００１４】
第１遊技機島と第２遊技機島とが所定距離の隙間をあけて設置されているので、第２遊技機島側に対して不正行為が試みられたとしても、第１遊技機島側への影響を実質的にほとんど遮断することができる。ここで、不正行為とは、不正に振動や磁力を利用して利益を得ようとする行為、工具等の不正具を内部に侵入させて不正に利益を得ようとする行為等を含む。
【００１５】
例えば、第２遊技機島に対して、振動や磁力を与えたとしても、第１遊技機島が離間しているので、第１遊技機島へとその振動や磁力が殆ど伝達されない。第１遊技機島に取り付けられた遊技盤に振動や磁力が殆ど伝達されないので、遊技盤上を流下する遊技球が振動や磁力の影響で入賞したり有利な領域に流入したりすることを防止することができる。
【００１６】
なお、この遊技機島によれば、振動や磁力を利用した不正行為が試みられた場合であっても、そもそもその不正行為が功を奏さず、不正行為が完遂されないので、不正行為を検知してエラーを報知したり遊技を停止したりする必要がない。したがって、エラー報知や遊技停止のための構造が不要であるだけでなく、エラー報知や遊技停止によって遊技者に不快感を与えるのを防止することができる。もちろん、本遊技機島が不正検知によるエラー報知や遊技停止のための構成を追加的に備えることを排除するものではない。
【００１７】
また、第２遊技機島側の第２遊技機枠やその周囲から不正具を侵入させることを試みたとしても、第１遊技機島が離間しているので、不正具が第１遊技機島側へと到達するリスクが低減されている。したがって、この遊技機島は、不正具の侵入による不正行為も、有効に防止することができる。
【００１８】
なお、遊技機においては、遊技盤を保持する第１遊技機枠が遊技球を発射するための発射装置や賞球を払い出すための賞球払出装置を保持している。したがって、第２遊技機島側へ試みられた不正行為が発射装置や賞球払出装置へと影響することも防止されている。
【００１９】
第２遊技機島が、少なくともその一部において前後に揺動可能とされており、かつ、第１遊技機島と第２遊技機島との間に緩衝構造を有してもよい。
【００２０】
第２遊技機島が、少なくともその一部において前後に揺動可能とされていれば、第２遊技機島と第１遊技機島との前後方向における相対移動が可能となる。例えば、第２遊技機島の下端近傍が軸支部を有して床面に軸支されていれば、第２遊技機島と第１遊技機島との前後方向における相対移動が可能となる。
【００２１】
したがって、第２遊技機島に加えられた振動が第１遊技機島へと伝達するのを効果的に防止することができる。また、第１遊技機島と第２遊技機島との間に緩衝構造を有していれば、第２遊技機島に加えられた振動の第１遊技機島への伝達を減衰させることができる。第１遊技機島と第２遊技機島との前後方向の相対移動可能な構造と相まって、第２遊技機島への振動による悪影響を有効に防止し得る。
【００２２】
なお、少なくともその一部、とは実質的に全部であることを含み、少なくとも第２遊技機枠が前後に揺動可能となっていることを意味する。また、緩衝構造は、バネ・樹脂・ゴム・スポンジ等の多孔材料等を用いた弾性構造、摩擦・流体粘性・磁気粘性等を利用した振動吸収構造のうちの少なくとも一方を含む。例えば、スプリングとダンパーとの組み合わせであってもよい。
【００２３】
第２遊技機島が第１遊技機島に対して大きく前方開放（例えば、軸支部を中心とした前方への傾動）する構造であれば、例えば、開放した第２遊技機島を介して第１遊技機島や第１遊技機枠をメンテナンスすることが容易となるので、作業効率が向上し、便利となる。
【００２４】
本発明の他の例示的側面としての遊技機島システムは、上記の遊技機島、及び、遊技球の流下による遊技を実現する遊技盤を保持する第１遊技機枠と、第１遊技機枠の前方に配置されて遊技盤を視認可能とする透明板を保持する第２遊技機枠と、を備えた遊技機、を有する。
【００２５】
この遊技機島システムによれば、上記の例示的側面に係る効果を発揮することができる。なお、遊技機島システムは、１つの遊技機島に対して１つの遊技機を取り付けたものであってもよいし、１つの遊技機島に複数の遊技機を取り付けたものであってもよい。遊技機島の側面側から第１遊技機島と第２遊技機島との隙間部分に遊技者がアクセスできないように側面側に侵入防止構造を有していることが好ましい。１つの遊技機島に対して１つの遊技機枠を取り付けるタイプのものであっても１つの遊技機島に対して複数の遊技機枠を取り付けるタイプのものであっても、この遊技機島の側面の侵入防止構造を有することが好ましい。ただし、遊技機島と遊技機島とを隣接配置する場合においては、遊技機島と遊技機島との設置間隔が側面に対する遊技者のアクセスを困難とする程度に狭くなっていれば、侵入防止構造を不要とすることができる。
【００２６】
また、１つの遊技機島に対して複数の遊技機枠を取り付けるものにあっては、遊技機枠が遊技盤面を同一方向（前方）に向けて左右方向に列状に配置されてもよいし、複数の遊技機枠が平面視多角形状に配置されてもよい。すなわち、遊技機島が左端や右端を有さず、無端状となっていて、遊技機枠が例えば平面視三角形や平面視四角形の位置に配置されてもよい。
【００２７】
本発明の更なる目的又はその他の特徴は、以下添付図面を参照して説明される好ましい実施の形態によって明らかにされるであろう。
【発明の効果】
【００２８】
本発明によれば、第１遊技機島と第２遊技機島とが所定距離の隙間をあけて設置されているので、第２遊技機島側に対して不正行為が試みられたとしても、第１遊技機島側への影響を実質的にほとんど遮断することができる。したがって、不正検知によるエラー報知や遊技停止の処理を行わなくても不正行為を有効に防止することができる。
【図面の簡単な説明】
【００２９】
【図１】本発明の実施の形態１に係る遊技機枠を備えたパチンコ機の正面図である。
【図２】図１に示すパチンコ機の右側面図である。
【図３】図１に示すパチンコ機の平面図である。
【図４】本発明の実施の形態１に係る遊技機島システムの外観図であって、（ａ）は平面図であり、（ｂ）は側面図である。
【図５】図４に示す前方島を前方に倒した状態を示す遊技機島システムの正面図である。
【図６】図４に示す遊技機島が備える侵入防止構造の説明図であって、（ａ）は一例を示し、（ｂ）は他の例を示す。
【図７】本発明の実施の形態２に係る遊技機島システムの全体構成の概略を示す正面図である。
【図８】本発明の実施の形態３に係る遊技機島システムの全体構成の概略を示す平面図である。
【発明を実施するための形態】
【００３０】
［実施の形態１］
以下、本発明の実施の形態１に係る遊技機島システムＳについて図面を用いて説明する。ここでは、まず遊技機島システムＳに用いられる遊技機枠Ｗを備えたパチンコ機２の説明をし、その後に、その遊技機枠Ｗを取り付ける遊技機島Ｕの説明をする。
【００３１】
＜パチンコ機の説明＞
図１は、この遊技機枠Ｗを備えたパチンコ機（遊技機）２の正面図であり、図２は、図１に示すパチンコ機２の右側面図である。図３は、図１に示すパチンコ機２の平面図である。なお、図２においては、説明の便宜上、後述する遊技盤６及びガラス１０を模式的に斜線を付して示している。
【００３２】
このパチンコ機２は、第１遊技機枠（遊技機枠Ｗの一部）Ｗ１、第２遊技機枠（遊技機枠Ｗの一部）Ｗ２と、遊技盤ユニット５、ガラス１０、発射ユニット（図示せず）、球皿１４等を有している。ガラス１０は、第１遊技機枠Ｗ１に設けられた第１ガラス１０ａと、第２遊技機枠Ｗ２に設けられた第２ガラス（透明板）１０ｂとを有して構成されている。発射ユニットは、遊技球２３を遊技盤ユニット５に構成される遊技領域１６に向けて１球ずつ発射可能に構成されている。
【００３３】
パチンコ機２の左側方には、パチンコ機２に対して遊技球２３の貸出要求を行う遊技球貸出装置１００が配置されている。遊技球貸出装置１００は、遊技者の操作入力に応じてパチンコ機２に対して球貸出信号を送信する。パチンコ機２は、球貸出信号を受け取ることによって、後述する賞球払出装置６０によって遊技者に対して所定数の遊技球２３を払い出すように構成されており、遊技者は、払い出された遊技球２３を用いて遊技を行うことができる。
【００３４】
パチンコ機２は、遊技者が発射装置ハンドル１５を操作することによって、遊技領域１６に向けて遊技球２３が発射ユニットによって発射され、遊技球２３の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。
【００３５】
なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００３６】
第１遊技機枠Ｗ１は、略矩形の枠部材であり、後述する遊技盤ユニット５、各種制御基板、及び遊技球用の経路、遊技盤ユニット５に設けられた遊技領域１６の前方を覆う第１ガラス１０ａ等を保持している。第２遊技機枠Ｗ２は、略矩形の枠部材であり、第１遊技機枠Ｗ１の前方に配置されている。第２遊技機枠Ｗ２は、第２ガラス（透明板）１０ｂ及びその周囲を装飾する装飾部材３２等を保持している。
【００３７】
第１遊技機枠Ｗ１が第１遊技機島Ｕ１に取り付けられ、第２遊技機枠Ｗ２が第２遊技機島Ｕ２に取り付けられることにより、第１遊技機枠Ｗ１と第２遊技機枠Ｗ２とは、前後方向において離間して配置され、その間には隙間Ｔ１が設けられている。また、第１遊技機枠Ｗ１に装着された第１ガラス１０ａと、第２遊技機枠Ｗ２に装着された第２ガラス１０ｂと、は、前後方向に離間して配置されており、その間には隙間Ｔ２が設けられている。
【００３８】
第１遊技機枠Ｗ１に装着された遊技盤ユニット５は、遊技盤面（遊技盤の表面）６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されるとともに、この演出表示装置７ａの表示部７ｂを露出させるための表示開口部７ｄが形成されている。
【００３９】
遊技盤６は、その表面側に遊技球２３の流下による遊技を実現するための遊技領域１６を構成するための盤状部材であり、遊技盤６を前方から遊技者にとって視認可能となるように第１遊技機枠Ｗ１に装着されている。遊技盤面６ａには、遊技領域１６を囲むようレール部材２６が取り付けられており、発射ユニットによって遊技領域１６に向けて発射された遊技球２３は、レール部材２６に沿って遊技領域１６に導かれる。
【００４０】
遊技釘２７は、遊技領域１６を流下する遊技球２３と衝突してその流下方向を変更させる流下変更部材であり、多数が遊技領域１６内に配置されている。また、遊技領域１６には、始動入賞口２９、大入賞口３１等の入球部材及びアウト口３０が配置されている。更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００４１】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００４２】
遊技盤６の裏面側には、パチンコ機２の全体の制御を行う遊技制御手段としての主制御基板を収容した主制御基板ケースと、演出表示装置７ａの画像表示の制御等を行う演出制御基板を収容した演出制御基板ケースと、賞球払出装置６０による賞球の払出しを制御する払出制御基板を収容した払出制御基板ケースと、電源基板を収容した電源基板ケースと、が配置されている。この各制御基板ケースに収容された各制御基板によって遊技が実現される。更に、遊技盤６の裏面側には、パチンコ機２の遊技状態等の遊技情報を外部に出力するための外部出力端子板が設けられている。
【００４３】
また、遊技盤６の裏面側には、パチンコ機２が設置されるホールの設備から供給された遊技球２３を一時的に貯留するための遊技球貯留タンク５６（図３参照）と、球貯留タンク５６からの遊技球２３が流入し、この遊技球２３を１球ずつ球皿１４に向けて通過させる賞球払出装置６０（図３参照）と、が設けられている。賞球払出装置６０は、払出制基板によって駆動制御されるように構成されており、各種入賞口への遊技球２３の入球や、遊技球貸出装置１００からの遊技球２３の貸出し要求に応じて、遊技者に遊技球２３を払い出すように構成されている。
【００４４】
第１遊技機枠Ｗ１の下方には、遊技盤面６ａに形成された遊技領域１６に向けて遊技球２３を弾球する発射ユニットが設けられている。発射ユニットは、球送り装置（不図示）によって球皿１４の一部としての上球皿１４ａから発射位置に送り出された遊技球２３を遊技領域１６の上部に向けて発射（弾球）する。
【００４５】
ガラス１０は、遊技盤６に対して一定距離以上離間して配置された透明板であり、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００４６】
第１遊技機枠Ｗ１には、遊技領域１６の前方を覆うように配置された第１ガラス１０ａが装着されている。また、第２遊技機枠Ｗ２にも、第２ガラス１０ｂが装着されている。このように、複数の遊技機枠にそれぞれガラスを装着することにより、遊技盤６を前方から遊技者が視認する視認性を確保しつつ、遊技盤６への不正アクセスを防止することができる。
【００４７】
例えば、第１遊技機枠Ｗ１のみにガラスを設け、第２遊技機枠Ｗ２にガラスを設けないと、遊技者がアクセス可能なガラスの前面と遊技盤との距離が比較的短くなり、磁力による不正行為の影響を充分に防止することができないおそれがある。しかし、第２遊技機枠Ｗ２に第２ガラス１０ｂを設けることにより、遊技者がアクセス可能な第２ガラス１０ｂと遊技盤６との距離を比較的長くすることができ、磁力による不正行為の防止効果を高めることができる。
【００４８】
第２遊技機枠Ｗ２は、パチンコ機２の前面に配置されており、遊技者に向けて払い出された遊技球を貯留する球皿１４、遊技者が発射ユニットによる遊技球２３の発射操作を行うための発射ハンドルが装着されている。球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方に配置され、下球皿１４ｂは、その上球皿１４ａの更に下方に配置されている。
【００４９】
また、第１遊技機枠Ｗ１に装着された遊技盤６と、第２遊技機枠Ｗ２に装着された第２ガラス１０ｂと、の距離は、１５０ｍｍであり、遊技者と遊技領域１６とを少なくとも１５０ｍｍ離すことができる。例えば、不正行為者が磁石を用いて遊技領域１６を流下する遊技球２３の動きを不正に変化させようした場合であっても、第２ガラス１０ｂと遊技盤面６ａとが離間しているため、遊技領域１６に対する磁力の影響を小さくして、磁力によって不正に遊技球２３が操作されることを防ぐことができる。
【００５０】
パチンコ機２は、遊技領域１６における遊技球２３の流下に基づく遊技を実現しており、遊技の結果によって賞球の払出し等の利益を遊技者が得ることができる。したがって、不正行為者は、遊技領域１６における遊技球２３の動きを操作して、不正に利益を得ようとする。本実施の形態に係るパチンコ機２によれば、隙間Ｔ１及び隙間Ｔ２を変化させることにより、不正行為の対象となる遊技領域１６と不正行為者との距離を適宜調整することができるため、遊技領域１６を流下する遊技球２３を始動入賞口２９や普通入賞口２８等の入球部材に不正に入球させたり、ゲート３３を不正に通過させたりする等の遊技球２３の操作を防止して、不正行為を効果的に防止することができる。
【００５１】
次いで、パチンコ機２における遊技球２３の移動態様について説明する。ホールの設備から供給された遊技球２３は、第１遊技機枠Ｗ１の上部に配置された遊技球貯留タンク５６に貯留される。遊技球貯留タンク５６に貯留された遊技球２３は、遊技球貯留タンク５６を通過する過程で整列され、整列された状態で賞球払出装置６０に導かれる。賞球払出装置６０に導かれた遊技球２３は、１球ずつ球皿１４に向かって送り出される。
【００５２】
球皿１４に貯留された遊技球２３は、球送り装置を介して発射ユニットに１球ずつ導かれる。そして、発射ユニットによって遊技領域１６に向けて１球ずつ発射される。遊技領域１６に発射された遊技球２３は、遊技領域１６を流下し、ある遊技球２３は始動入賞口２９に流入し、ある遊技球２３はいずれの入球部材にも流入せずにアウト口３０に流入する。入球部材及びアウト口３０に流入した遊技球２３は、遊技盤６の後面側に導かれ、パチンコ機２の外部に排出される。
【００５３】
ここで、賞球払出装置６０及び発射ユニットは、第１遊技機枠Ｗ１に配置されており、球皿１４は、第２遊技機枠Ｗ２に配置されており、遊技球２３は、第１遊技機枠Ｗ１と第２遊技機枠Ｗ２との間を移動する。したがって、第１遊技機枠Ｗ１と第２遊技機枠Ｗ２との間には、遊技球２３を通過させる球通路５０が設けられている。
【００５４】
球通路５０は、賞球払出装置６０から上球皿１４ａに向けて遊技球２３を導く上球皿通路５１と、賞球払出装置６０から下球皿１４ｂに遊技球２３を導く下球皿通路５２と、上球皿１４ａから球送り装置に向けて遊技球を導く球送り通路５３と、を有する。このように球通路５０を設けることにより、第１遊技機枠Ｗ１と第２遊技機枠Ｗ２との間で円滑に遊技球２３を移動させることができる。
【００５５】
なお、球通路５０は、第１遊技機枠Ｗ１から第２遊技機枠Ｗ２に向けて又は第２遊技機枠Ｗ２から第１遊技機枠Ｗ１に向けて遊技球２３を導くことができるように構成されていればよく、第１遊技機枠Ｗ１に装着されていてもよいし、第２遊技機枠Ｗ２に装着されていてもよいし、第１遊技機枠Ｗ１及び第２遊技機枠Ｗ２の両方に装着されていてもよい。
【００５６】
＜遊技機島の説明＞
続いて、遊技機島Ｕについての説明を行う。遊技機島Ｕは、遊技機枠Ｗを取り付けるための島設備である。遊技機島Ｕは、後方島（第１遊技機島）Ｕ１と前方島（第２遊技機島）Ｕ２とを有している。後方島Ｕ１には第１遊技機枠Ｗ１が取り付けられ、前方島Ｕ２には第２遊技機枠Ｗ２が取り付けられている。
【００５７】
図４は、遊技機島Ｕに遊技機枠Ｗを有するパチンコ機２が取り付けられた状態の遊技機島システムＳの外観図であり、（ａ）はその平面図、（ｂ）はその側面図である。図５は、前方島Ｕ２を前方に倒した状態を示す遊技機島システムＳの正面図である。
【００５８】
前方島Ｕ２は、第２遊技機枠Ｗ２を取り付けるための島設備であって、第２遊技機枠Ｗ２をセットするための正面視略長方形の開口部４５が形成されている。前方島Ｕ２は、例えば木製・樹脂製又は金属製の筐体状構造体であって、全体として略直方体形状を呈している。開口部４５内に第２遊技機枠Ｗ２をセットして、例えば釘やネジにより固定することによって、前方島Ｕ２に第２遊技機枠Ｗ２を取り付けられるようになっている。本実施の形態１においては、前方島Ｕ２は、１つの開口部４５を有して１つの第２遊技機枠Ｗ２を取付け可能とされている。
【００５９】
後方島Ｕ１は、第１遊技機枠Ｗ１を取り付けるための島設備であって、前方島Ｕ２の後方側に配置され、第１遊技機枠Ｗ１をセットするための正面視略長方形の開口部４４が形成されている。後方島Ｕ１は、例えば木製・樹脂製又は金属製の筐体状構造体であって、全体として略直方体形状を呈している。開口部４４内に第１遊技機枠Ｗ１をセットして、例えば釘やネジにより固定することによって、後方島Ｕ１に第１遊技機枠Ｗ１を取り付けられるようになっている。本実施の形態１においては、後方島Ｕ１は、１つの開口部４４を有して１つの第１遊技機枠Ｗ１を取付け可能とされている。
【００６０】
前方島Ｕ２と後方島Ｕ１とは、互いに前後方向に所定距離の隙間をあけて設置されている。その所定距離は、第２遊技機枠Ｗ２と第１遊技機枠Ｗ１との隙間がＴ１となるような距離とされている。そして、前方島Ｕ２と後方島Ｕ１とが構成する左右側面４７においては、侵入防止構造４８が採用されている。この侵入防止構造４８は、左右側面４７における前方島Ｕ２と後方島Ｕ１との隙間に対し、遊技者からのアクセスを防止するための構造であり、例えば、隙間を塞ぐよう外側から取り付けられた遮蔽板（図６（ａ）参照）がこの侵入防止構造に相当する。また、侵入防止構造４８は、図６（ｂ）に示すように、左右側面４７において、前方島Ｕ２の側壁４９ｂと後方島Ｕ１の側壁４９ａとが各々入れ子状に延長されて、遊技者による外部からの内部へのアクセスが防止されるような構造であってもよい。この場合であっても、遊技機枠Ｗの取付け位置においては、第１遊技機枠Ｗ１と第２遊技機枠Ｗ２とが隙間Ｔ１をあけて配置されるように、後方島Ｕ１と前方島Ｕ２とは隙間をあけて設置される。
【００６１】
前方島Ｕ２は、下端部近傍において軸支部４６を介して床面Ｆに固定されている。軸支部４６は、その軸Ｘが左右方向に延び、軸Ｘを回転中心として前方島Ｕ２を前後に揺動可能に支持している。そして、前方島Ｕ２と後方島Ｕ１との間には、所定位置（望ましくは、上端部に近い位置。）において、所定数（望ましくは、少なくとも左右２箇所。）の緩衝部材（緩衝構造）４０が配置されている。この緩衝部材４０は、バネ部（スプリング）４１とダンパー（ショックアブソーバー）４２とを有して構成され、バネ部４１が発揮する弾性による衝撃緩和機能とダンパー４２が発揮する流体粘性等を用いた振動吸収機能の両方を発揮している。
【００６２】
軸支部４６は、必ずしも下端部近傍に配置される必要がなく、第２遊技機枠Ｗ２の下方に配置されて、第２遊技機枠Ｗ２を前後に揺動可能とするものであればよい。また、前方島Ｕ２を前後に揺動可能とする構造としては、軸支部４６の他にも、例えば、前方島Ｕ２が上下に分割されて、下部ユニットが床面Ｆに固定され、上部ユニットが下部ユニットに対してバネ等の弾性部材を用いて連結され、下部ユニットに対して上部ユニットが前後に揺動可能とされている構造でもよい。
【００６３】
前方島Ｕ２が後方島Ｕ１と分離して所定距離の隙間をあけて設置されているので、前方島Ｕ２側に振動が加えられても、その振動が後方島Ｕ１側に殆ど伝達されない。しかも、前方島Ｕ２と後方島Ｕ１との間には、緩衝部材４０が配置されているので、たとえ振動が一部伝達されるとしても、衝撃が緩和され、振動が吸収されて伝達されるので、後方島Ｕ１側への悪影響は殆どない。
【００６４】
なお、緩衝部材４０は、構造によっては前方島Ｕ２と後方島Ｕ１との両方に連結されていてもよいし、島Ｕ１，Ｕ２の一方に連結されて他方には連結されない構造となっていてもよい。他方に連結されない構造においては、例えば、緩衝部材４０の一方の端部が前方島Ｕ２又は後方島Ｕ１の一方に連結されて、緩衝部材４０の他方の端部が前方島Ｕ２又は後方島Ｕ１の他方から若干の隙間をあけて配置されてもよい。前方島Ｕ２に加えられる振動が小さい場合は、緩衝部材４０の他方の端部は島Ｕ１，Ｕ２に接触していないので、その振動が緩衝部材４０を介して後方島Ｕ１へと伝達されることがない。一方、前方島Ｕ２に加えられる振動が大きい場合は、緩衝部材４０の他方の端部が島Ｕ１，Ｕ２のいずれか接触し、その振動が緩衝部材４０を介して衝撃緩和、吸収されて小さい振動となって後方島Ｕ１へと伝達される。
【００６５】
前方島Ｕ２と後方島Ｕ１との間の上端部近傍には、係合手段５４が配置されている。この係合手段５４は、前方島Ｕ２が軸支部４６周りに前方へと倒れるのを防止している。詳細な説明は割愛するが、係合手段５４は、係合フックと係合孔とを有して構成され、係合フックを係合孔に係合することにより、前方島Ｕ２の上端部近傍が後方島Ｕ１の上端部近傍から一定距離以上離間しないように保持ししている。
【００６６】
なお、係合フックと係合孔との係合を解除すると、図５に示すように、前方島Ｕ２は、軸支部４６周りに回転して前方へと大きく傾動するようになっている。そうすると、後方島Ｕ１と前方島Ｕ２との隙間を大きく開放することができ、後方島Ｕ１と前方島Ｕ２との間におけるメンテナンス等を容易に行うことができる。もちろん、第２遊技機枠Ｗ２が前方島Ｕ２に対して前方へ開閉可能な構造となっていれば、第２遊技機枠Ｗ２を前方開放することにより、前方島Ｕ２を傾動させることなく、開口部４５を介して第１遊技機枠Ｗ１へとアクセスすることができるので、ある程度の第１遊技機枠Ｗ１に対するメンテナンスを行うこともできる。
【００６７】
［実施の形態２］
図７は、本発明の実施の形態２に係る遊技機島システムＳの全体構成の概略を示す正面図である。この実施の形態２においては、１つの遊技機島Ｕに対して複数（本実施の形態２においては、４台。）の遊技機枠Ｗが取付け可能とされている。
【００６８】
上記実施の形態１のように、１つの遊技機島Ｕに対して１つの遊技機枠Ｗを取り付けるように構成すると、１台１台の遊技機枠Ｗの設置の自由度を高めることができるという利点がある。一方、本実施の形態２のように、１つの遊技機島Ｕに対して複数の遊技機枠Ｗを取り付けるように構成すると、現状のホール内の遊技機設置状況を大きく変更することなく本実施の形態２に係る遊技機島システムＳを導入することが容易となるという利点がある。また、１台ごとの遊技機枠Ｗに対して左右側面の侵入防止構造を採用する必要がなく、複数台の遊技機枠Ｗに対する１つの遊技機島Ｕについて左右側面の侵入防止構造を採用すればよい。
【００６９】
この遊技機島システムＳにおいても、前方島Ｕ２は、軸支部４６周りに前後に揺動可能とされている。前方島Ｕ２全体が一体として前後揺動可能となっていてもよいし、前方島Ｕ２が複数台の第２遊技機枠Ｗ２の１台１台に対応して独立しており、第２遊技機枠Ｗ２が１台ずつ前後に揺動可能となっていてもよい。
【００７０】
［実施の形態３］
図８は、本発明の実施の形態３に係る遊技機島システムＳの全体構成の概略を示す平面図である。この実施の形態３においては、１つの遊技機島Ｕに対して複数（本実施の形態３においては、４台。）の遊技機枠Ｗが取付け可能とされている。
【００７１】
この遊技機島システムＳは平面視略正方形状とされ、その正方形の各辺に対応する位置に、遊技機枠Ｗが設置されている。後方島Ｕ１が平面視略正方形を呈して、４つの第１遊技機枠Ｗ１を保持している。その後方島Ｕ１の前方、すなわち平面視において後方島Ｕ１よりも大型の正方形を呈する前方島Ｕ２が、４つの第２遊技機枠Ｗ２を保持して後方島Ｕ１を囲むように設置されている。
【００７２】
この実施の形態３においても、後方島Ｕ１と前方島Ｕ２とは、所定距離の隙間をあけて設置されている。後方島Ｕ１と前方島Ｕ２とは、各々平面視略四角形状であるので、床面Ｆに固定したり、係合手段５４で係合したりしなくても、各々が自立する構造となっている。本実施の形態３においては、軸支部や緩衝構造を有さず、後方島Ｕ１と前方島Ｕ２とを所定距離離間させて床面Ｆ上に載置するだけで、第２遊技機枠Ｗ２に対して加えられた衝撃や振動が第１遊技機枠Ｗ１へ伝達されるのを効果的に防止することができる構成となっている。
【００７３】
もちろん、この実施の形態２に係る構成において、後方島Ｕ１や前方島Ｕ２を床面Ｆにアンカー等を用いて固定することも可能である。また、前方島Ｕ２が、各々平面視略正方形状の４辺に相当する４箇所において下端部近傍に軸支部を有しており、各々が前方に傾動可能になっていてもよい。なお、この実施の形態３においては、例示的に平面視略正方形の場合について説明したが、もちろん、後方島Ｕ１と前方島Ｕ２とが平面視略三角形状とされていてもよいし、平面視において、その他の多角形状とされていてもよい。
【００７４】
以上、本発明の好ましい実施の形態を説明したが、本発明はこれらに限定されるものではなく、その要旨の範囲内で様々な変形や変更が可能である。
【符号の説明】
【００７５】
Ｆ：床面
Ｗ：遊技機枠
Ｗ１：第１遊技機枠（遊技機枠Ｗの一部）
Ｗ２：第２遊技機枠（遊技機枠Ｗの一部）
Ｓ：遊技機島システム
Ｕ：遊技機島
Ｕ１：後方島（第１遊技機島、遊技機島の一部）
Ｕ２：前方島（第２遊技機島、遊技機島の一部）
Ｔ１：第１遊技機枠と第２遊技機枠と間の隙間
Ｔ２：第１ガラスと第２ガラスとの間の隙間
２：パチンコ機（遊技機）
５：遊技盤ユニット
６：遊技盤
６ａ：遊技盤面（遊技盤の表面）
７：センター役物
７ａ：演出表示装置
７ｂ：表示部
７ｄ：表示開口部
１０：ガラス
１０ａ：第１ガラス
１０ｂ：第２ガラス（透明板）
１４：球皿
１４ａ：上球皿
１４ｂ：下球皿
１４ｃ：球抜き部材
１５：発射装置ハンドル
１６：遊技領域
２３：遊技球
２６：レール部材
２７：遊技釘
２８：普通入賞口
２９：始動入賞口
３０：アウト口
３１：大入賞口
３２：装飾部材
３３：ゲート
３４：風車
４０：連結部材
４１：バネ部（スプリング）
４２：ダンパー（ショックアブソーバー）
４４，４５：開口部
４６：軸支部
４７：左右側面
４８：侵入防止構造
４９ａ，４９ｂ：側壁
５０：球通路
５１：上球皿通路
５２：下球皿通路
５３：球送り通路
５４：係合手段
５６：遊技球貯留タンク
６０：賞球払出装置
１００：遊技球貸出装置
【図１】
0005717123.tif 000002
【図２】
0005717123.tif 000003
【図３】
0005717123.tif 000004
【図４】
0005717123.tif 000005
【図５】
0005717123.tif 000006
【図６】
0005717123.tif 000007
【図７】
0005717123.tif 000008
【図８】
0005717123.tif 000009